(57)【特許請求の範囲】
【請求項１】
一意に識別可能な識別子を有し、前記識別子を近距離無線信号により送信するデバイスと、
カメラを有し、前記デバイスの送信する近距離無線信号を受信して前記近距離無線信号から抽出した前記識別子と、前記デバイスと共に前記デバイスの所在を示す背景を前記カメラで撮影して得た写真とを対応付けて送信する第１携帯端末であって、複数の前記デバイスから前記近距離無線信号を受信した場合、受信電波強度から複数の前記デバイスとの距離を算出して、前記距離が最短のデバイスを前記カメラで映したデバイスであるとして選別する第１携帯端末と、
前記第１携帯端末により、前記写真と前記選別されたデバイスの識別子とを関連付けて格納するデータベースと、
前記デバイスからの近距離無線信号がアラーム信号を含むことを判定する判定手段と、
前記判定手段が前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する第２携帯端末と、
を備えるデバイス管理システム。
【請求項２】
前記第２携帯端末は、複数のデバイスのそれぞれに関連付けられた前記判定結果の情報を識別可能に一覧表示する請求項１に記載のデバイス管理システム。
【請求項３】
カメラを有する第１携帯端末が、デバイスと共に前記デバイスの所在を示す背景を撮影して写真を取得するデバイス撮影ステップと、
前記第１携帯端末が、前記デバイスから近距離無線信号により送信された、前記デバイスを一意に識別可能な識別子を受信する識別子受信ステップであって、複数の前記デバイスから前記近距離無線信号を受信した場合、受信電波強度から複数の前記デバイスとの距離を算出して、前記距離が最短のデバイスを前記カメラで映したデバイスであるとして選別する識別子受信ステップと、
データベースに、前記写真と前記デバイスの識別子とを関連付けて格納する格納ステップと、
第２携帯端末が、前記デバイスからの近距離無線信号がアラーム信号を含むことを判定する判定ステップと、
前記第２携帯端末が、前記判定ステップにおいて前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示ステップと、
を含むデバイス管理方法。
【請求項４】
デバイスと近距離無線通信を行なう近距離無線通信手段と、
前記デバイスから近距離無線通信が一定期間受信されなかったことを判定する第１判定手段と、
前記デバイスからの近距離無線信号がアラーム信号を含むことを判定する第２判定手段と、
前記第１判定手段が前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示し、前記第２判定手段が前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示手段と、
を備える携帯端末。
【請求項５】
デバイスから近距離無線通信が一定期間受信されなかったことを判定する第１判定ステップと、
前記デバイスからの近距離無線信号がアラーム信号を含むことを判定する第２判定ステップと、
前記第１判定ステップにおいて前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示し、前記第２判定ステップにおいて前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示ステップと、
をコンピュータに実行させる携帯端末の制御プログラム。
【発明の詳細な説明】
【技術分野】
【０００１】
本発明は、デバイス管理システム、デバイス管理方法、携帯端末およびその制御プログラムに関する。
【背景技術】
【０００２】
近年、温度や照度、圧力、動きなどを測定するセンサ機能や近距離無線通信機能を持った小型のデバイスが普及し新たなソリューションを作り出している。また、デバイスは非常に小型となり表示機能を持たないものや、デバイス表面に個体の識別情報を記載することができないか、もしくは記載があっても非常に読み取りづらいものとなりつつある。これらデバイスを管理するにはデバイス自身の管理システムとは別に、そのデバイスの設置場所を管理するための別の管理システムが必要となる。
【０００３】
上記技術分野において、デバイスの管理を行う為には、例えば無線タグシステムの応用が考案されている（特許文献１、特許文献２参照）。例えば、特許文献１に記載のシステムは、デバイス固有の情報を持つ無線タグと設置場所を特定できる位置情報を持つ無線タグとの２つの無線タグからの受信電波を使って、デバイスを管理するものである。受信電波から取得された情報は、文字や数字で対応付けされたリストとして管理されている。
【先行技術文献】
【特許文献】
【０００４】
【特許文献１】特開2009-113893号公報
【特許文献２】特開2009-251919号公報
【発明の概要】
【発明が解決しようとする課題】
【０００５】
しかしながら、上記文献に記載の技術では、デバイスの所在が文字や数字のデータで管理されているため、管理されているデバイスの所在を直感的に把握することができなかった。
【０００６】
本発明の目的は、上述の課題を解決する技術を提供することにある。
【課題を解決するための手段】
【０００７】
上記目的を達成するため、本発明に係るデバイス管理システムは、
一意に識別可能な識別子を有し、前記識別子を近距離無線信号により送信するデバイスと、
カメラを有し、前記デバイスの送信する近距離無線信号を受信して前記近距離無線信号から抽出した前記識別子と、前記デバイスと共に前記デバイスの所在を示す背景を前記カメラで撮影して得た写真とを対応付けて送信する第１携帯端末であって、複数の前記デバイスから前記近距離無線信号を受信した場合、受信電波強度から複数の前記デバイスとの距離を算出して、前記距離が最短のデバイスを前記カメラで映したデバイスであるとして選別する第１携帯端末と、
前記第１携帯端末により、前記写真と前記選別されたデバイスの識別子とを関連付けて格納するデータベースと、
前記デバイスからの近距離無線信号がアラーム信号を含むことを判定する判定手段と、
前記判定手段が前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する第２携帯端末と、
を備える。
【０００８】
上記目的を達成するため、本発明に係るデバイス管理方法は、
カメラを有する第１携帯端末が、デバイスと共に前記デバイスの所在を示す背景を撮影して写真を取得するデバイス撮影ステップと、
前記第１携帯端末が、前記デバイスから近距離無線信号により送信された、前記デバイスを一意に識別可能な識別子を受信する識別子受信ステップであって、複数の前記デバイスから前記近距離無線信号を受信した場合、受信電波強度から複数の前記デバイスとの距離を算出して、前記距離が最短のデバイスを前記カメラで映したデバイスであるとして選別する識別子受信ステップと、
データベースに、前記写真と前記デバイスの識別子とを関連付けて格納する格納ステップと、
第２携帯端末が、前記デバイスからの近距離無線信号がアラーム信号を含むことを判定する判定ステップと、
前記第２携帯端末が、前記判定ステップにおいて前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示ステップと、
を含む。
【０００９】
上記目的を達成するため、本発明に係る携帯端末は、
デバイスと近距離無線通信を行なう近距離無線通信手段と、
前記デバイスから近距離無線通信が一定期間受信されなかったことを判定する第１判定手段と、
前記デバイスからの近距離無線信号がアラーム信号を含むことを判定する第２判定手段と、
前記第１判定手段が前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示し、前記第２判定手段が前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示手段と、
を備える。
【００１１】
上記目的を達成するため、本発明に係る携帯端末の制御プログラムは、
デバイスから近距離無線通信が一定期間受信されなかったことを判定する第１判定ステップと、
前記デバイスからの近距離無線信号がアラーム信号を含むことを判定する第２判定ステップと、
前記第１判定ステップにおいて前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示し、前記第２判定ステップにおいて前記デバイスからの近距離無線信号がアラーム信号を含むと判定した場合、近距離無線信号がアラーム信号を含むことを示す判定結果の情報と、前記デバイスに対応付けて前記データベースから検索された前記写真とを表示する表示ステップと、
をコンピュータに実行させる。
【００１３】
上記目的を達成するため、本発明に係る携帯端末は、
デバイスと近距離無線通信を行なう近距離無線通信手段と、
前記デバイスから近距離無線通信が一定期間受信されなかったことを判定する第１判定手段と、
前記第１判定手段が前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示する表示手段と、
を備える。
【００１５】
上記目的を達成するため、本発明に係る携帯端末の制御プログラムは、
デバイスから近距離無線通信が一定期間受信されなかったことを判定する第１判定ステップと、
前記第１判定ステップにおいて前記デバイスから近距離無線信号が一定期間受信されなかったことを判定した場合、近距離無線信号が一定期間受信されなかったことを示す判定結果の情報と、前記近距離無線通信により取得した前記デバイスを一意に識別可能な識別子に基づいてデータベースから検索された、前記デバイスと前記デバイスの所在を示す背景とを含む写真とを表示する表示ステップと、
をコンピュータに実行させる。
【発明の効果】
【００１６】
本発明によれば、管理されているデバイスの所在を直感的に把握することができる。
【図面の簡単な説明】
【００１７】
【図１】本発明の第１実施形態に係るデバイス管理システムの構成を示すブロック図である。
【図２Ａ】本発明の第２実施形態に係るデバイス管理システムにおけるデバイス登録処理を説明する図である。
【図２Ｂ】本発明の第２実施形態に係るデバイス管理システムにおけるデバイス登録処理を説明する図である。
【図２Ｃ】本発明の第２実施形態に係るデバイス管理システムにおけるデバイス登録処理を説明する図である。
【図３Ａ】本発明の第２実施形態に係るデバイス管理システムにおけるデバイス管理データベースの構成を示す図である。
【図３Ｂ】本発明の第２実施形態に係るデバイス管理システムにおけるデバイス管理データベースの格納形式を説明する図である。
【図４】前提技術に係るデバイス登録操作を説明する図である。
【図５】前提技術に係るデバイス管理台帳を示す図である。
【図６Ａ】本発明の第２実施形態に係るデバイス管理システムの構成を示すブロック図である。
【図６Ｂ】本発明の第２実施形態に係るデバイス管理システムにおけるデバイス登録の動作手順を示すシーケンス図である。
【図７】本発明の第２実施形態に係るカメラ付き携帯端末の構成を示すブロック図である。
【図８】本発明の第２実施形態に係るカメラ付き携帯端末のデバイス登録処理を示す図である。
【図９】本発明の第２実施形態に係るカメラ付き携帯端末の処理手順を示すフローチャートである。
【図１０Ａ】本発明の第２実施形態に係るデバイス登録処理の手順を示すフローチャートである。
【図１０Ｂ】本発明の第２実施形態に係るデータ収集処理の手順を示すフローチャートである。
【図１１】本発明の第３実施形態に係るデバイス管理システムにおけるデバイス登録処理を説明する図である。
【図１２】本発明の第３実施形態に係るデバイス管理システムにおけるデバイス登録処理の手順を示すフローチャートである。
【図１３】本発明の第４実施形態に係るデバイス管理システムにおけるデバイス管理処理を説明する図である。
【図１４】本発明の第４実施形態に係る携帯端末の処理手順を示すフローチャートである。
【図１５】本発明の第５実施形態に係るデバイス管理システムにおけるデバイス管理処理を説明する図である。
【図１６】本発明の第５実施形態に係る携帯端末の処理手順を示すフローチャートである。
【図１７】本発明の第６実施形態に係るデバイス管理システムにおけるデバイス管理処理を説明する図である。
【図１８Ａ】本発明の第６実施形態に係る携帯端末の表示画面を示す図である。
【図１８Ｂ】本発明の第６実施形態に係る携帯端末の他の表示画面を示す図である。
【図１９】本発明の第６実施形態に係る携帯端末の処理手順を示すフローチャートである。
【図２０】本発明の第７実施形態に係るデバイス管理システムにおけるデバイス管理処理を説明する図である。
【図２１】本発明の第７実施形態に係る携帯端末の処理手順を示すフローチャートである。
【発明を実施するための形態】
【００１８】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。なお、以下の説明中における「近距離」は「近接」と同義であり、例えば、「近距離無線通信」は「近接無線通信」とも称される。また、本明細書中で使用する「背景」は、カメラ撮影された写真に含まれるデバイスの所在を表わすあらゆる情報を示す映像を含む。例えば、デバイスの所有者や所持者であるデバイスを持つ人物、または、デバイスが配置された場所の映像が含まれる。さらに、地図データなどとの連携を示す情報や、デバイスそのものが関係する事情や関連付けを示す情報の映像も含む。
【００１９】
［第１実施形態］
本発明の第１実施形態としてのデバイス管理システム１００について、図１を用いて説明する。デバイス管理システム１００は、多数のデバイスを管理するシステムである。
【００２０】
図１に示すように、デバイス管理システム１００は、デバイス１１０と、カメラ付き携帯端末１２０と、データベース１３０と、を含む。デバイス１１０は、一意に識別可能な識別子を有し、識別子を近距離無線信号により送信する。カメラ付き携帯端末１２０は、デバイス１１０の送信する近距離無線信号を受信して、識別子を認識する。データベース１３０は、カメラ付き携帯端末１２０により、デバイスと共にデバイスの所在を示す背景を撮影して得た写真データ１３１と、デバイスの識別子１３２とを関連付けて格納する。
【００２１】
本実施形態によれば、デバイスと共にデバイスの所在を示す背景を撮影して得た写真データでデバイスの所在を管理するので、管理されているデバイスの所在を直感的に把握することができる。
【００２２】
［第２実施形態］
次に、本発明の第２実施形態に係るデバイス管理システムについて説明する。本実施形態に係るデバイス管理システムは、デバイスを一意に識別可能なユニークな識別子（以下、ＩＤとも称す）、例えば、ＵＵＩＤ（Universally Unique Identifier）と、デバイスと共にその所在を示す背景を撮影した写真データと、を関連付けて登録する。ここで、デバイスの所在を示す背景としては、デバイスを持つ人物またはデバイスが配置された場所が含まれる。なお、デバイスとしては、例えばセンサ機能を有するセンサデバイスのような多数を配置して管理する場合に本実施形態は著しい効果を奏するが、センサデバイスに限定する必要はない。また、一意に識別可能なユニークな識別子としてＵＵＩＤを例に説明するが、ＵＵＩＤに限定されるものではなく、一意に識別可能なユニークな識別子であれば他の識別子も使用できる。なお、デバイスおよび背景のカメラ撮影と、デバイスのＵＵＩＤの取得とは、撮影されるデバイスとそのＵＵＩＤとの関連付けができれば、同時に行なわれても別途に行なわれてもよい。例えば、本実施形態の手順では、カメラ撮影してＵＵＩＤの取得をするように記載されているが、ＵＵＩＤを取得して距離をチェック後にカメラ撮影をしてもよい。
【００２３】
《前提技術》
まず、本実施形態の技術と対比するために、図４および図５を参照して、前提技術のデバイス管理方法を説明する
図４は、前提技術におけるデバイス登録操作を説明する図である。図４に示すように、多数のデバイス２２０それぞれを一意に識別可能なＵＵＩＤを設定し、各デバイスはそのＵＵＩＤを近距離無線信号に乗せて送信するものとする。これにより、各デバイスは、任意に設置された場所からそれぞれ固有の前記ＵＵＩＤを無線送信する。
【００２４】
例えば、Ａさんが持つデバイス２２１は、ＵＵＩＤ＝ＡＡＡＡを近距離無線信号２２２に乗せて送信する。ＺＺの天井に設置されたデバイス２２３は、ＵＵＩＤ＝ＢＢＢＢを近距離無線信号２２４に乗せて送信する。ＸＸの壁に設置されたデバイス２２５は、ＵＵＩＤ＝ＥＥＥＥを近距離無線信号２２６に乗せて送信する。ＹＹの床に設置されたデバイス２２７は、ＵＵＩＤ＝ＦＦＦＦを近距離無線信号２２８に乗せて送信する。装置Ｗに設置されたデバイス４２１は、ＵＵＩＤ＝ＣＣＣＣを近距離無線信号４２２に乗せて送信する。台Ｔの上に設置されたデバイス４２３は、ＵＵＩＤ＝ＤＤＤＤを近距離無線信号４２４に乗せて送信する。
【００２５】
図５は、前提技術におけるデバイス管理台帳５４０を示す図である。図４のように識別情報をＵＵＩＤで統一することで、管理者が管理するデバイス管理台帳５４０は識別情報であるＵＵＩＤ５４１と設置場所５４５とを関連付けたリストとなる。
【００２６】
例えば、図４で得られたデバイスのＵＵＩＤ５４１である、ＡＡＡＡ５４２,ＤＤＤＤ５４３,ＥＥＥＥ５４４のそれぞれに関連付けて、設置場所５４５として、Ａさん５４６、台の上５４７、ＸＸの壁５４８を格納する。このリストを参照すれば、デバイスのＵＵＩＤ５４１が分かれば、そのデバイスの設置場所を検索することができる。
【００２７】
上記前提技術において、デバイスを特定する情報はＵＵＩＤとして受信して容易に取得できるが、デバイスの設置場所は、人が入力するか、特許文献１のように、設置場所に無線タグを配置して取得することになる。したがって、第１に、デバイスの設置場所の情報を取得することが容易でなく、余分な構成が必要となる。第２に、図５のように、設置場所としては、文字や記号で表わしたものが検索されて通知されるので、ユーザがデバイスの所在を直感的にイメージすることができない。
【００２８】
以下に説明する本実施形態のデバイス管理システムにおいて、デバイスの所在あるいは設置場所を余分な構成なしに簡単な操作で取得して登録でき、デバイスの識別子(ＵＵＩＤ)により検索して通知された所在あるいは設置場所を、ユーザが直感的にイメージすることができるようになる。
【００２９】
《本実施形態のデバイス管理システム》
図２Ａ乃至図６Ｂを参照して、本実施形態のデバイス管理システム２００の構成と動作を説明する。
【００３０】
（デバイス登録処理）
図２Ａ乃至図２Ｃは、本実施形態に係るデバイス管理システム２００におけるデバイス登録処理を説明する図である。
【００３１】
図２Ａにおいて、多数のデバイス２２０の内の１台のデバイス２２１をＡさんが所有あるいは所持しているとする。本実施形態のデバイス管理システムは、個体を一意に識別可能なＵＵＩＤが設定されたデバイス２２１と、そのＵＵＩＤを送信できる近距離無線信号２２２と、近距離無線信号２２２を受信可能なカメラ付き携帯端末２１０とを備える。
【００３２】
カメラ付き携帯端末２１０のカメラを使って、デバイス２２１を持つＡさんを写真撮影すると、撮影した写真データ２４５が取得される。そして、カメラで撮影中に、カメラ付き携帯端末２１０は、デバイス２２１から発せられているＵＵＩＤ＝ＡＡＡＡを近距離無線信号２２２により受信する。そして、ＵＵＩＤ＝ＡＡＡＡ２４２と写真データ２４５とが関連付けられて、リストに格納される。同様に、ＵＵＩＤ＝ＡＡＡＣ２４３と撮影された写真データ２４６とが関連付けられて、リストに格納される。このように、管理対象とする全デバイスの識別情報であるＵＵＩＤ２４１と全デバイスの写真データ２４４とが関連付けられたリストが生成されて、デバイス管理データベース（以下、デバイス管理ＤＢ）２４０として保持される。
【００３３】
図２Ｂには、図２Ａのような人物がデバイスを所有あるいは所持する場合でなく、デバイスが種々の場所に配置されている場合に、デバイスのＵＵＩＤとデバイスを含み配置場所を認識可能な写真データとを取得する例を示している。
【００３４】
図２Ａのように、ＵＵＩＤ＝ＡＡＡＡを近距離無線信号２２２に乗せて送信するデバイス２２１を持ったＡさんをカメラ付き携帯端末２１０で撮影する。カメラ付き携帯端末２１０は、撮影した写真データと受信したＵＵＩＤ＝ＡＡＡＡとを関連付けてデバイス管理ＤＢを作成するアプリケーションを実装している。同様に、ＵＵＩＤ＝ＢＢＢＢを近距離無線信号２２４に乗せて送信するデバイス２２３を設置したＺＺの天井をカメラ付き携帯端末２１０で撮影し、撮影した写真データと受信したＵＵＩＤ＝ＢＢＢＢとを関連付けてデバイス管理ＤＢに格納する。また、ＵＵＩＤ＝ＥＥＥＥを近距離無線信号２２６に乗せて送信するデバイス２２５を設置したＸＸの壁をカメラ付き携帯端末２１０で撮影し、撮影した写真データと受信したＵＵＩＤ＝ＥＥＥＥとを関連付けてデバイス管理ＤＢに格納する。また、ＵＵＩＤ＝ＦＦＦＦを近距離無線信号２２８に乗せて送信するデバイス２２７を設置したＹＹの床をカメラ付き携帯端末２１０で撮影し、撮影した写真データと受信したＵＵＩＤ＝ＦＦＦＦとを関連付けてデバイス管理ＤＢに格納する。
【００３５】
図２Ｃは、識別情報を持った無線を発するデバイスが周囲に複数ある場合に、写真データ内に写っているデバイスとデバイスのＵＵＩＤとの対応付けを説明する図である。
【００３６】
アプリケーションにおいては、カメラ付き携帯端末２１０は、デバイスとの距離関係を受信する電波の減衰量で認識する。次に、Ａさんが持つデバイス２２１からの近距離無線信号２２２と、Ｂさんが持つデバイス２２３からの近距離無線信号２２４と、Ｃさんが持つデバイス２２５からの近距離無線信号２２６と、により距離を比較する。そして、最も近くの目の前にあるデバイス２２１からのＵＵＩＤ＝ＡＡＡＡを特定して、カメラで撮影したＡさんがデバイス２２１を持つ写真データとの関連づけを行う。
【００３７】
（デバイス管理ＤＢ）
図３Ａは、本実施形態に係るデバイス管理システム２００におけるデバイス管理ＤＢ２４０の構成を示す図である。
【００３８】
デバイス管理ＤＢ２４０は、識別子であるＵＵＩＤ２４１と写真データ２４４とを関連付けたリストとして生成される。
【００３９】
図３Ｂは、本実施形態に係るデバイス管理システム２００におけるデバイス管理ＤＢ２４０の格納形式を説明する図である。
【００４０】
デバイス管理ＤＢ２４０において、デバイスの識別子は異なる形式で写真データと関連付けることができる。すなわち、写真データのファイル名として、写真データのメタデータとして、写真データとは別のファイルデータ内に、または、写真データに埋め込んで格納することができる。例えば、ＵＵＩＤ＝ＡＡＡＡを発するデバイスを持つＡさんの写真データ２４５がファイルの場合、１つのＵＵＩＤの格納形式は、写真データファイル名にＵＵＩＤであるＡＡＡＡ３５１を付加する形式がある。また、写真データ２４５のメタデータ３５２にＵＵＩＤを設定する形式がある。また、写真データ２４５のファイル名とＵＵＩＤの対応付けが判るファイル３５３を別に作成する形式がある。また、写真画像３５４上にＵＵＩＤを合成する形式がある。
【００４１】
なお、デバイス管理ＤＢの格納形式は、上記例で限定されない。ＵＵＩＤと写真データとが関連付けられて、容易に検索可能に格納される形式であればよい。
【００４２】
（システム構成）
図６Ａは、本実施形態に係るデバイス管理システム２００の構成を示すブロック図である。
【００４３】
デバイス管理システム２００は、ネットワーク６５０を介して接続する、近距離通信機能を有するカメラ付き携帯端末２１１〜２１３と、デバイス管理ＤＢ２４０と、データ収集ＤＢ６４０と、を有する。カメラ付き携帯端末２１１〜２１３は、それぞれ、デバイスと共にデバイスを所有あるいは所持する人、または、デバイスの配置位置などの所在を示す背景を撮影する。そして、近距離通信により、デバイスからＵＵＩＤを受信する。例えば、カメラ付き携帯端末２１１は人が所持するデバイス２２１、屋内６１０に配置されたデバイス２２３、２２５、２２７などのＵＵＩＤと所在を示す写真とを取得する。カメラ付き携帯端末２１２は人が所持するデバイス２２ｉや、高速道路６２０に設置されたデバイス２２ｊなどのＵＵＩＤと所在を示す写真とを取得する。カメラ付き携帯端末２１３は人が所持するデバイス２２ｘや、サッカー場６３０に設置されたデバイス２２ｙなどのＵＵＩＤと所在を示す写真とを取得する。
【００４４】
そして、カメラ付き携帯端末２１１〜２１３は、撮影した写真データをＵＵＩＤと関連付けてデバイス管理ＤＢ２４０に送って、デバイス管理ＤＢ２４０はデバイスの所在をデバイスのＵＵＩＤと所在を示す写真データとにより管理する。また、カメラ付き携帯端末２１１〜２１３により収集された、デバイスの状態情報、デバイスのセンシング情報は、ＵＵＩＤと関連付けてデータ収集ＤＢ６４０に送って、データ収集ＤＢ６４０はビッグデータを管理する。デバイス管理ＤＢ２４０やデータ収集ＤＢ６４０は、クラウドサーバにあってもよい。
【００４５】
なお、図６Ａにおいては、デバイス管理ＤＢ２４０やデータ収集ＤＢ６４０が、ネットワーク６５０を介して携帯端末２１１〜２１３の外部にある例を示したが、小容量のローカルなＤＢをそれぞれの携帯端末２１１〜２１３が有して、自身が接続可能なデバイスをそれぞれ管理するようにしてもよい。
【００４６】
（動作シーケンス）
図６Ｂは、本実施形態に係るデバイス管理システム２００におけるデバイス登録の動作手順を示すシーケンス図である。
【００４７】
カメラ付き携帯端末２１０は、ステップＳ６０１において、デバイス管理システム２００にデバイス登録処理を行ない、デバイス管理用のアプリケーションをダウンロードして起動する。そして、カメラ付き携帯端末２１０は、ステップＳ６０３において、デバイス２２０と共に、デバイス２２０を持つ人物あるいはデバイス２２０を配置した場所を示す背景を写真撮影するデバイス撮影を行なう。
【００４８】
そして、カメラ付き携帯端末２１０は、ステップＳ６０７において、デバイス２２０がステップＳ６０５において送信したＵＵＩＤを受信する識別子受信を行なう。次に、カメラ付き携帯端末２１０は、ステップＳ６０７において、撮影した写真データを受信したＵＵＩＤに対応付ける。カメラ付き携帯端末２１０がローカルにデバイスの所在を管理する場合は、カメラ付き携帯端末２１０は、ステップＳ６１１において、ＵＵＩＤと写真データとを関連付けてデータベースとして保存する。一方、デバイスの所在を一括管理する場合は、カメラ付き携帯端末２１０は、ステップＳ６１３において、ＵＵＩＤと写真データとを関連付けてデバイス管理ＤＢ２４０に送信する。
【００４９】
デバイス管理ＤＢ２４０は、ステップＳ６１５において、識別子取得としてＵＵＩＤを受信し、ＵＵＩＤに関連付けたデバイス写真取得として写真データを受信し、検索可能なリストにして格納する。
【００５０】
その後、デバイス２２０は、ステップＳ６２１において、それぞれのデータを取得して、ステップＳ６２３において、携帯端末や携帯端末を介してデータ収集ＤＢ６４０に送信する。なお、デバイスからデータを収集する携帯端末はカメラ付きである必要はない。また、携帯端末でローカルにデータを収集して管理する場合は、データは携帯端末に保存される。一方、収集データを一括管理する場合は、データ収集ＤＢ６４０に集めて集中管理することになる。
【００５１】
《カメラ付き携帯端末の構成》
図７は、本実施形態に係るカメラ付き携帯端末２１０の構成を示すブロック図である。
【００５２】
図７において、カメラ付き携帯端末２１０は、各機能を繋げるデータバス７８０により接続される、データの読み書きを制御するＣＰＵ(Central Processing Unit)７１０と、ネットワーク６５０を介する通信を制御する通信制御部７３０と、各種データを保存するメモリ７５０と、を有する。さらに、近距離無線データを解析する近距離無線データ解析部７４２と、写真画像を撮影するカメラ撮影機能部７６０と、外部からの入力を受け取る入力部７７０と、情報表示を行う表示部７２０と、を有する。ここで、近距離無線データ解析部７４２は、近距離無線を行なう近距離無線受信部７４１から受け取ったデータを解析する。
【００５３】
ＣＰＵ７１０は演算制御用のプロセッサであり、プログラムを実行することで携帯端末２１０の機能を実現する。また、メモリ７５０は、初期データおよびプログラムなどの固定データを記憶するＲＯＭ(Read Only Memory)や、ＣＰＵ７１０が一時記憶のワークエリアとして使用するＲＡＭ(Random Access Memory)や、データベースや各種のパラメータ、あるいは本実施形態の実現に必要なデータまたはプログラムが記憶されるストレージを含む。
【００５４】
（カメラ付き携帯端末のデバイス登録処理）
図８は、本実施形態に係るカメラ付き携帯端末２１０のデバイス登録処理を示す図である。図８は、メモリ７５０が記憶するデバイス管理用データの構成８１０と、通信制御部７３０を介してデバイス管理ＤＢ２４０に送信されるメッセージフォーマット８２０とを、示す。なお、図８に示した構成およびフォーマットは、本実施形態の処理を実現する一例であって、これに限定されず種々の構成およびフォーマットが使用可能である。
【００５５】
デバイス管理用データの構成８１０は、デバイスから受信したＵＵＩＤ８１１に対応付けて、デバイスとデバイスの所在を示す背景とを含む写真データ８１２を記憶する。メッセージフォーマット８２０は、送信先としてのデバイス管理ＤＢ２４０のＩＤ８２１と、送信元としてのカメラ付き携帯端末２１０のＩＤ８２２と、送信内用であるデバイス登録データ８２３と、ＣＲＣなどの誤り訂正符号８２４と、を含む。デバイス登録データ８２３には、デバイスから受信したＵＵＩＤと対応する写真データとが対に関連付けて含まれる。
【００５６】
なお、カメラ付き携帯端末２１０からデバイス管理ＤＢ２４０へのデバイス登録データの送信は、データ取得ごとであっても、所定量を取得してからであっても、所定時間間隔であってもよい。あるいは、デバイス管理ＤＢ２４０などからの要求に応答する送信であってもよい。
【００５７】
《カメラ付き携帯端末の処理手順》
図９は、本実施形態に係るカメラ付き携帯端末２１０の処理手順を示すフローチャートである。このフローチャートは、図７のＣＰＵ７１０がメモリ７５０を使用しながら実行して、カメラ付き携帯端末２１０の機能を実現する。
【００５８】
カメラ付き携帯端末２１０は、ステップＳ９０１において、本デバイス管理のアプリケーションをダウンロードする。そして、カメラ付き携帯端末２１０は、ステップＳ９０３において、ダウンロードしたアプリケーションを起動する。なお、あらかじめ携帯端末がアプリケーションを保持している場合には、ステップＳ９０１におけるアプリケーションのダウンロードは不要である。
【００５９】
起動されたアプリケーションで、カメラ付き携帯端末２１０は、ステップＳ９１１において、デバイス登録が指示されたか否かを判定する。デバイス登録が指示された場合、カメラ付き携帯端末２１０は、ステップＳ９１３において、デバイス登録処理を実行する。
【００６０】
デバイス登録が指示されない場合、カメラ付き携帯端末２１０は、ステップＳ９２１において、デバイスが検出したデータ収集が指示されたか否かを判定する。データ収集が指示された場合、カメラ付き携帯端末２１０は、ステップＳ９２３において、データ収集処理を実行する。
【００６１】
デバイス登録の指示でもデータ収集の指示でもない場合、カメラ付き携帯端末２１０は、ステップＳ９３１において、他の処理を行なう。なお、前述のようにデータ収集処理は、カメラ付き携帯端末２１０の処理に限定されない。近距離通信機能を有しさえすれば、カメラを有しない携帯端末においても処理可能である。
【００６２】
（デバイス登録処理）
図１０Ａは、本実施形態に係るデバイス登録処理（Ｓ９１３）の手順を示すフローチャートである。
【００６３】
カメラ付き携帯端末２１０は、ステップＳ１０１１において、カメラ付き携帯端末２１０に一番近いデバイスとその背景とをカメラで写真撮影する。そして、カメラ付き携帯端末２１０は、ステップＳ１０１３において、デバイスからの近距離通信によるＵＵＩＤの受信を待つ。ＵＵＩＤの受信があれば、カメラ付き携帯端末２１０は、ステップＳ１０１５において、近距離通信により複数のＵＵＩＤを受信したか否かを判定する。複数のＵＵＩＤを受信した場合、カメラ付き携帯端末２１０は、ステップＳ１０１７において、受信電波強度からデバイスとの距離を算出して、距離が最短のデバイスのＵＵＩＤをカメラで映したデバイスであるとして選別する（図２Ｃ参照）。
【００６４】
受信したＵＵＩＤが１つであれば、あるいは、１つのＵＵＩＤが選別されれば、カメラ付き携帯端末２１０は、ステップＳ１０１９において、デバイスのＵＵＩＤとデバイスおよび背景が写った写真とを対応付けて保持する。カメラ付き携帯端末２１０は、ステップＳ１０２１において、デバイス登録のタイミングを待つ。なお、ローカルにカメラ付き携帯端末２１０でデバイスを管理するのであれば、自身のデータベースに格納して処理は終了する。デバイス登録のタイミングになれば、カメラ付き携帯端末２１０は、ステップＳ１０２３において、デバイスのＵＵＩＤとデバイスおよび背景が写った写真とを対応付けてデバイス管理ＤＢ２４０に送信する。
【００６５】
（データ収集処理）
図１０Ｂは、本実施形態に係るデータ収集処理（Ｓ９２３）の手順を示すフローチャートである。上述のように、このフローチャートは、カメラ付き携帯端末２１０に限定されず、近距離通信が可能であればカメラを有しない携帯端末においても実行可能である。
【００６６】
カメラ付き携帯端末２１０は、ステップＳ１０３１において、デバイスからの近距離通信によるＵＵＩＤの受信を待つ。ＵＵＩＤの受信があれば、カメラ付き携帯端末２１０は、ステップＳ１０３３において、ＵＵＩＤの対応デバイスから検出データを取得する。なお、最初のＵＵＩＤの受信に検出データが付加されている場合には、ステップＳ１０３３は不要である。カメラ付き携帯端末２１０は、ステップＳ１０３５において、ＵＵＩＤに対応付けて検出データをデータ収集ＤＢ６４０に送信する。
【００６７】
さらに、カメラ付き携帯端末２１０は、ステップＳ１０３７において、デバイスからのアクセス有りをＵＵＩＤに対応して保持し、デバイス管理ＤＢ２４０に通知する。なお、デバイスからのアクセス有無をローカルでカメラ付き携帯端末２１０が管理する場合は、デバイス管理ＤＢ２４０へ通知はしない。
【００６８】
なお、図１０Ｂにおいては、デバイスからのＵＵＩＤの受信を待ったが、カメラ付き携帯端末２１０からデバイスに対してデータ送信要求を行なってもよい。
【００６９】
本実施形態によれば、デバイスと共にデバイスの所在を示す背景を撮影して得た写真データでデバイスの所在を管理するので、管理されているデバイスの所在を直感的に把握することができると共に、デバイスから収集したデータを管理できる。
【００７０】
詳細には、デバイス管理をするために、例えば無線タグ等を用いた場所を特定するための管理システムを新たに構築する必要がない。これは、本実施形態において、デバイスを設置すると共にそのデバイスを一意に識別可能なＵＵＩＤと紐付けした設置場所の写真を保存することで、その保存された写真自体がデバイスの設置場所を確認できる情報となっているためである。本実施形態は、写真データは情報量が多く人が記憶したり想起したりする構成として非常に優れたものである。
【００７１】
また、デバイス管理が簡便になり特別な専門知識や教育が不要になり誰でもデバイス管理システムの運用ができる。これは、本実施形態において、一般的に普及しているカメラ付き携帯端末を活用でき、また写真を撮影するという一般的な操作で実現できる管理システムであるためである。
【００７２】
したがって、多数のデバイスを人が管理する上で対応リストの作成とその管理・運用を容易にすることにより、管理システムの信頼性、操作性、生産性、保守性を向上できるアプリケーションとシステムを提供することができる。
【００７３】
［第３実施形態］
次に、本発明の第３実施形態に係るデバイス管理システムについて説明する。本実施形態に係るデバイス管理システムは、上記第２実施形態と比べると、デバイス管理データベースへの異なる登録方法を有する点で異なる。すなわち、写真データの格納を行う場合、同じ識別子を持った写真データの存在有無を確認し、既に同じ識別子を持った写真データが存在した場合、写真データを上書きするか新規データベースを作成するかを選択可能である。その他の構成および動作は、第２実施形態と同様であるため、同じ構成および動作については同じ符号を付してその詳しい説明を省略する。
【００７４】
《デバイス管理システムにおけるデバイス登録処理》
図１１は、本実施形態に係るデバイス管理システム１１００におけるデバイス登録処理を説明する図である。なお、図１１において、図２Ａと同様の構成要素には同じ参照番号を付して、説明を省略する。
【００７５】
図１１においては、デバイス管理ＤＢを作成する時点で、既存の写真データが有る場合の、２つのデータベース更新方法が構成される。図１１のような現象は、例えば、デバイスを所有あるいは所持する人物が変わったり、デバイスを配置あるいは設置する場所が変わったりした場合に発生する。その場合、現在のデバイスの所在を実時間で変更しないと、デバイスと所在との関連が誤ったり取れなくなったりする。その場合にも、写真１枚で登録変更が可能である。
【００７６】
デバイス管理ＤＢ１１４０に、識別情報であるＵＵＩＤ＝ＡＡＡＡ２４２に対応する写真データ１１４１が既に存在した場合、第１の方法は、新たに取得した写真データ１１４３を上書きして新たなデバイス管理ＤＢ１１４２とする方法である。また、既存の写真データ１１４１を残したい場合には、既存のデバイス管理ＤＢ１１４０は別に新しいデバイス管理ＤＢ１１４４を作成し、そのＤＢにＵＵＩＤ＝ＡＡＡＡと対応する写真データとを保存する方法である。
【００７７】
《デバイス登録処理の手順》
図１２は、本実施形態に係るデバイス管理システム１１００におけるデバイス登録処理の手順を示すフローチャートである。
【００７８】
デバイス管理システム１１００は、ステップＳ１２０１において、デバイスの登録要請の受信を待つ。デバイスの登録要請の受信があれば、デバイス管理システム１１００は、ステップＳ１２０３において、登録要請したデバイスのＵＵＩＤに対応して写真データが既に登録されているか否かを判定する。デバイスの登録あるいはＵＵＩＤに対応した写真データの登録がなければ、デバイス管理システム１１００は、ステップＳ１２１１において、デバイスあるいは写真データの登録処理を行なう。
【００７９】
デバイスが登録されＵＵＩＤに対応した写真データの登録が既にあれば、デバイス管理システム１１００は、ステップＳ１２０５において、新たな登録データを既存のデバイス管理ＤＢに上書きするか、新たなデバイス管理ＤＢを作成するかを判定する。既存のデバイス管理ＤＢに上書きする場合、デバイス管理システム１１００は、ステップＳ１２０７において、デバイスの写真データを上書きして最新の所在を示す写真に更新する。新たなデバイス管理ＤＢを作成する場合、デバイス管理システム１１００は、ステップＳ１２０７において、新たな写真データを含む新たなデバイス管理ＤＢを生成する。
【００８０】
なお、上記２つの方法に限定されず、例えば、デバイス管理ＤＢに、デバイスのＵＵＩＤに対応付けて、写真データの履歴を所在期間の情報と共に蓄積してもよい。
【００８１】
本実施形態によれば、デバイスの所在が変更された場合にも、簡単な操作でデバイス管理内容を更新できる。
【００８２】
［第４実施形態］
次に、本発明の第４実施形態に係るデバイス管理システムについて説明する。本実施形態に係るデバイス管理システムは、上記第２実施形態と比べると、生成されたデバイス管理ＤＢを使用して、近距離無線通信に基づいて携帯端末がデバイスの状態を把握してデバイスの写真を表示する点で異なる。すなわち、デバイスの識別子に基づいてＤＢを検索し、画面上に、デバイスに関連付けられた写真データを表示する。本実施形態においては、携帯端末がデバイスからのアラーム信号を受信して、アラーム信号からデバイスの識別子を認識し、識別子に基づいてＤＢを検索し、画面上に、アラーム信号を発したデバイスに関連付けられた写真データを表示する。その他の構成および動作は、第２実施形態と同様であるため、同じ構成および動作については同じ符号を付してその詳しい説明を省略する。
【００８３】
《デバイス管理システムにおけるデバイス管理処理》
図１３は、本実施形態に係るデバイス管理システム１３００におけるデバイス管理処理を説明する図である。なお、図１３において、図２Ａと同様の構成要素には同じ参照番号を付して、説明を省略する。
【００８４】
本デバイス管理システム１３００においては、上記第２実施形態および第３実施形態により、デバイス管理ＤＢにデバイスのＵＵＩＤとデバイスの所在写真データとが登録されているので、その後のイベント時のデバイス管理を簡便にすることが可能である。
【００８５】
例えば、近距離無線機能を有する携帯端末２１０または１３１０が、デバイス２２１からアラームを発する近距離無線信号１３２２を受信したとする。近距離無線信号１３２２上のＵＵＩＤ＝ＡＡＡＡを検知すると、携帯端末内のデバイス管理ＤＢ１３４０を検索してリスト内の識別情報であるＵＵＩＤ１３４１がＡＡＡＡの項目を検出し、それと対応する写真データ１３４４から写真１３４５を取得する。そして、取得した写真１３４５を携帯端末２１０または１３１０の画面に表示する。同時に、画面に表示された写真１３４５のデバイスからアラームを受信したことがアラーム通知領域１３４６に表示あるいは音声報知される。
【００８６】
ユーザは、アラーム通知領域１３４６のアラーム通知とデバイスおよび背景の写真１３４５とから、アラームを出しているデバイスの所在を直感的に認識することができる。
【００８７】
なお、図１３においては、デバイス管理ＤＢ１３４０を携帯端末内にあるとしたが、図６Ａのようにデバイス管理ＤＢ２４０によって全体を管理してもその動作は同様である。
【００８８】
《携帯端末の処理手順》
図１４は、本実施形態に係る携帯端末２１０、１３１０の処理手順を示すフローチャートである。このフローチャートは、図７のＣＰＵ７１０がメモリ７５０を使用しながら実行して、カメラ付き携帯端末２１０または携帯端末１３１０の機能を実現する。以下、携帯端末１３１０により手順を説明する。
【００８９】
携帯端末１３１０は、ステップＳ１４０１において、デバイスからの近距離通信によるＵＵＩＤの受信を待つ。近距離通信によるＵＵＩＤの受信があれば、携帯端末１３１０は、ステップＳ１４０３において、デバイスからのアラームの受信であるか否かを判定する。アラームの受信でなければ、携帯端末１３１０は、ステップＳ１４１１において、受信メッセージに対応する他の処理を行なう。
【００９０】
アラームの受信であれば、携帯端末１３１０は、ステップＳ１４０５において、携帯端末内のデバイス管理ＤＢ１３４０あるいはネットワークに接続するデバイス管理ＤＢ２４０に対して、受信したＵＵＩＤに対応する写真データを要求する。携帯端末１３１０は、ステップＳ１４０７において、写真データの取得を待つ。写真データが取得されれば、携帯端末１３１０は、ステップＳ１４０９において、デバイスとその所在背景とを含む写真とアラーム受信とを表示して、ユーザに報知する。
【００９１】
本実施形態の具体的な実施例としては、例えば、無線通信方式にBluetooth（登録商標）のLow Energy通信方式を使ったものである。Bluetooth（登録商標）のLow EnergyのBeacon機能が発するＵＵＩＤを例えばスマートフォンで受信すると共に写真を撮影し、その写真データと前記ＵＵＩＤが関連づけられたデバイス管理ＤＢを作成することができる。システム運用中にアラームを発するＵＵＩＤを受信した場合、ＵＵＩＤに関連付けられた写真を表示することで、ＵＵＩＤの設置場所や所有者を人が見て簡便に確認することが可能となる。
【００９２】
本実施形態によれば、デバイスからのアラーム受信に対して、デバイスの所在を示す写真と共に通知することができる。
【００９３】
［第５実施形態］
次に、本発明の第５実施形態に係るデバイス管理システムについて説明する。本実施形態に係るデバイス管理システムは、上記第４実施形態と比べると、デバイスの状態がデバイスからの無線信号を一定期間、受信しなかった場合の処理である点で異なる。すなわち、本実施形態においては、デバイスに対応付けて無線信号の受信間隔を計測する。そして、携帯端末がデバイスからの無線信号を一定期間、受信しなかった場合、デバイスの識別子を取得し、識別子に基づいてＤＢを検索し、画面上に、一定期間、無線信号を受信できなかったデバイスに関連付けられた写真データを表示する。その他の構成および動作は、第２実施形態と同様であるため、同じ構成および動作については同じ符号を付してその詳しい説明を省略する。
【００９４】
《デバイス管理システムにおけるデバイス管理処理》
図１５は、本実施形態に係るデバイス管理システム１５００におけるデバイス管理処理を説明する図である。なお、図１５において、図２Ａと同様の構成要素には同じ参照番号を付して、説明を省略する。
【００９５】
図１５においては、デバイス２２１からのＵＵＩＤ＝ＡＡＡＡを含む近距離無線信号２２２の受信が一定期間無かったことを携帯端末２１０、１５１０が検知すると、デバイス管理ＤＢ１５４０を検索する。そして、デバイス管理ＤＢ１５４０から検索した写真データの写真１５４５を画面に表示する。同時に、画面に表示された写真１５４５のデバイスから受信が無いことが領域１５４６に表示あるいは音声報知される。
【００９６】
近距離無線信号２２２の受信が一定期間無かったことは、例えば、デバイス管理ＤＢ１５４０の各ＵＵＩＤ２４１に対応して一定期間内の受信有無１５４１を記憶することにより実現できる。あるいは、各デバイスからの最終受信日時をタイムスタンプとして記憶し、定期的に現日時とタイムスタンプとを比較して、一定期間内の受信なしを検知してもよい。
【００９７】
《携帯端末の処理手順》
図１６は、本実施形態に係る携帯端末２１０、１５１０の処理手順を示すフローチャートである。このフローチャートは、図７のＣＰＵ７１０がメモリ７５０を使用しながら実行して、カメラ付き携帯端末２１０または携帯端末１５１０の機能を実現する。以下、携帯端末１５１０により手順を説明する。
【００９８】
携帯端末１５１０は、ステップＳ１６０１において、登録したデバイスのＵＵＩＤに基づいて一定期間内の受信有無を判定する。そして、携帯端末１５１０は、ステップＳ１６０３において、一定期間内の受信が無いデバイスが有るか否かを判定する。
【００９９】
一定期間内の受信が無いデバイスが有れば、携帯端末１５１０は、ステップＳ１６０５において、携帯端末内あるいはネットワークに接続するデバイス管理ＤＢ１５４０に対して、一定期間内の受信が無いデバイスのＵＵＩＤに対応する写真データを要求する。携帯端末１５１０は、ステップＳ１６０７において、写真データの取得を待つ。写真データが取得されれば、携帯端末１５１０は、ステップＳ１６０９において、デバイスとその所在背景とを含む写真と一定期間内の受信が無いことを表示して、ユーザに報知する。
【０１００】
本実施形態によれば、デバイスから受信が無いことを検知し、デバイスの所在を示す写真と共に通知することができる。すなわち、ユーザは、デバイスの故障や盗難などを所在と共に認識できる。
【０１０１】
［第６実施形態］
次に、本発明の第６実施形態に係るデバイス管理システムについて説明する。本実施形態に係るデバイス管理システムは、上記第４実施形態および第５実施形態と比べると、ＤＢに登録されたデバイスの状態を携帯端末に一覧表示する点で異なる。すなわち、ＤＢは、デバイスの識別子に関連付けて、携帯端末が近距離無線通信に基づいて把握したデバイスの状態を格納する。そして、携帯端末は、複数のデバイスとそれぞれ関連付けられたデバイスの状態を識別可能に一覧表示する。一覧表示は、複数のデバイスにそれぞれ関連付けられたデバイスの状態を識別可能なマークで行なう。その時、デバイスの数に応じて、デバイスの状態を表示するマークのサイズを変更して表示したり、デバイスの全体の状態を１画面に表示できない場合、画面を複数に分割して表示したりする。その他の構成および動作は、第４実施形態または第５実施形態と同様であるため、同じ構成および動作については同じ符号を付してその詳しい説明を省略する。
【０１０２】
《デバイス管理システムにおけるデバイス管理処理》
図１７は、本実施形態に係るデバイス管理システム１７００におけるデバイス管理処理を説明する図である。なお、図１７において、図２Ａまたは図１５と同様の構成要素には同じ参照番号を付して、説明を省略する。
【０１０３】
図１７においては、複数のデバイスからの近距離無線信号が一定期間無かったことを検知した場合、携帯端末１７１０は、対応する写真データを検出して表示する。さらに、携帯端末１７１０は、複数のデバイス状態を通知するため同一システム上で管理している全てのデバイスの状態を記号やマークなどを羅列して一覧表示する。そして、一定期間受信が途絶えたデバイスの記号は他と識別できるように変更する。
【０１０４】
携帯端末１７１０の一覧表示１７１１には、一定期間内に受信のあったデバイスを黒塗りで、一定期間内に受信の無かったデバイスを白塗り１７１２、１２７３、１２７４で表示している。
【０１０５】
《携帯端末の表示画面》
図１８Ａは、本実施形態に係る携帯端末２１０、１７１０の表示画面を示す図である。
【０１０６】
図１８Ａに図示するように、一覧表示１７１１において、近距離無線信号を一定期間受信していない（＝通信断している）記号１７１２〜１７１４を選択指示すると、それに対応する写真データ１８１２がデバイス管理ＤＢから検索されて、携帯端末１７１０上に表示される。
【０１０７】
なお、選択された記号は選択中であることを示すための点滅、色変更などを行なってもよい。また、その他、システム情報１８１１（例えばデバイス全体の管理デバイス数、近距離無線信号断デバイス総数など）を表示してもよい。
図１８Ｂは、本実施形態に係る携帯端末２１０、１７１０の他の表示画面を示す図である。
【０１０８】
携帯端末１７１０の画面に表示する全体のデバイス数を示す記号は、図１８Ｂに示すように、全体の総数と操作性とを考慮した画面表示に最適なサイズに変更する。例えば、総数が少なければ、記号１８１３ａは記号１８１３ｂにサイズが変更される。また、１画面に全体のデバイスが収まらない場合には、画面Ａ、画面Ｂなど複数画面の構成とし、画面上に複数画面が存在することを明示する（次頁１８１４）。なお、サイズの変更に伴って、画面分割を行なってもよい。
【０１０９】
《携帯端末の処理手順》
図１９は、本実施形態に係る携帯端末２１０、１７１０の処理手順を示すフローチャートである。このフローチャートは、図７のＣＰＵ７１０がメモリ７５０を使用しながら実行して、カメラ付き携帯端末２１０または携帯端末１７１０の機能を実現する。以下、携帯端末１７１０により手順を説明する。
【０１１０】
携帯端末１７１０は、ステップＳ１９０１において、一定期間内にデバイスから近距離無線の受信があったか否かの情報をデバイス管理ＤＢ１５４０に要求する。そして、携帯端末１７１０は、ステップＳ１９０３において、デバイス管理ＤＢ１５４０からデバイスに対応する一定期間内の受信有無データを取得したか否かを判定する。受信有無データを取得すれば、携帯端末１７１０は、ステップＳ１９０５において、デバイス状態の一覧表示データを生成する。この時に、サイズ指定があれば、サイズの変更も行なう。
【０１１１】
携帯端末１７１０は、ステップＳ１９０７において、デバイス状態の一覧が１画面に収まるか否かを判定する。１画面に収まれば、携帯端末１７１０は、ステップＳ１９０９において、画面サイズに応じてデバイス状態を一覧表示する。１画面に収まらなければ、携帯端末１７１０は、ステップＳ１９１１において、一覧表示データおよび表示サイズと、画面サイズとを考慮して、画面分割して表示する。
【０１１２】
本実施形態を拡張して、例えば、ＵＵＩＤを発する無線タグを任意の場所に設置し、設置場所を含む構内地図とその位置を特定できる識別情報（例えば座標）を管理する機能を備えていた場合、以下の効果を奏する。すなわち、受信したＵＵＩＤと位置を特定する識別情報を関連付けたデータベースを作成することにより、簡便に無線タグを設置した設置場所を構内地図上で管理することができる。
【０１１３】
本実施形態によれば、デバイス数が増えたとしても、デバイス状態を把握することができる。
【０１１４】
また、本実施形態は以下のような適用が可能であり、同様の顕著な効果を奏する。ツアー客を、移動交通機関（例えばバス、電車、飛行機）を使ってガイドが引率する場合の管理方法として、事前にＵＵＩＤを発する小型の無線タグをツアー客個々に郵送しておく。郵送する時点で管理者は無線タグとツアー客に送付する宛先を一緒に写真撮影することで、ツアー客毎のＵＵＩＤと宛先を撮影した写真データが関連付けられたデータベースを作成する。ツアー客が個々に配布された無線タグを持参し、集合場所に来た時に無線タグから発せられるＵＵＩＤを管理者の無線受信携帯端末で受信することで、管理者はツアー客の顔や氏名を確認することなく周囲に居ることを認識することができる。さらに、集合したツアー客の顔写真を撮影し、その写真データとツアー客ごとに発するＵＵＩＤとを関連付けたＤＢを作成することで、簡便にツアー客の員数確認を行うシステムを構築することができる。
【０１１５】
また、保育園などでの園児の見守りにおいても、各園児に無線タグを装着し、無線タグから発せられるＵＵＩＤを先生の無線受信携帯端末で受信することで、先生は園児の顔や氏名を確認することなく周囲に居ることを認識することができる。さらに、園児の顔写真を撮影し、その写真データと園児ごとに発するＵＵＩＤとを関連付けたＤＢを作成することで、簡便に各園児の確認を行うシステムを構築することができる。
【０１１６】
なお、上記ツアーガイドや園児の見守りの場合には、次のような処理も必要となる。例えば、ツアーを例に取るとガイドが複数の団体を場所、日を変えて管理する場合、今はグループＡの引率をしているのでそのグループＡのＤＢを使用する必要があるが、場所、日が違うところでグループＢの引率する場合にはグループＢのＤＢを使う必要がある。このように、複数のＤＢが存在する場合は、管理者に任意のＤＢを選択させ、デバイス管理システムは選択したＤＢ内を検索して検索結果を表示する。また、保育園の管理においては、先生が教室ごとに園児の見守りをする上で教室毎のＤＢを作成するという使用形態が想定される。なお、複数のＤＢを作成する例を示したが、１つのＤＢ内に複数のデータグループを参照リストにより別途に持つという構成であってもよい。
【０１１７】
［第７実施形態］
次に、本発明の第７実施形態に係るデバイス管理システムについて説明する。本実施形態に係るデバイス管理システムは、上記第２実施形態乃至第６実施形態と比べると、デバイスの所在や通信有無に加えてユーザの付加情報を管理する点で異なる。すなわち、ＤＢが、デバイスとの通信有無を取得する通信有無取得部、または、デバイスに関する付加情報を取得する付加情報取得部を有し、デバイスの識別子に関連付けて、通信有無や付加情報とを検索可能に格納する。その他の構成および動作は、第２実施形態と同様であるため、同じ構成および動作については同じ符号を付してその詳しい説明を省略する。
【０１１８】
《デバイス管理システムにおけるデバイス管理処理》
図２０は、本実施形態に係るデバイス管理システム２０００におけるデバイス管理処理を説明する図である。
【０１１９】
本実施形態によれば、近距離無線が可能なカメラ付き携帯端末２０１０で、写真を撮影すると共に、管理者が任意に付加情報２０４１（例えば氏名２０４２、メモ２０４３など）を写真データ２４４と一緒に、デバイス管理ＤＢ２０４０に格納することができる。そして、携帯端末２０１０に写真データ２４５と共に付加情報２０４４を表示できる。
【０１２０】
《携帯端末の処理手順》
図２１は、本実施形態に係る携帯端末２０１０の処理手順を示すフローチャートである。このフローチャートは、図７のＣＰＵ７１０がメモリ７５０を使用しながら実行して、カメラ付き携帯端末２０１０の機能を実現する。なお、図２１において、図９と同様のステップには同じステップ番号を付して、説明を省略する。また、本実施形態においては、デバイス登録と付加情報の入力を別の処理として示したが、デバイス登録時に付加情報を入力するようにしてもよい。その場合には、ステップＳ９１３のデバイス登録処理中あるいはその後で付加情報の入力指示が実行されることになる。
【０１２１】
カメラ付き携帯端末２０１０は、デバイス登録でも検出データ収集でもなければ、ステップＳ２１０１において、付加情報の入力指示か否かを判定する。付加情報の入力指示であれば、カメラ付き携帯端末２０１０は、ステップＳ２１０３において、入力された付加情報をデバイスのＵＵＩＤに対応付けて、デバイス管理ＤＢに送信する。
【０１２２】
本実施形態によれば、デバイス管理者が、各デバイスについて付加情報を付加できることで、写真データでは不正確なデバイスの所在をより正確に特定できるようになる。
【０１２３】
［他の実施形態］
なお、上述した実施形態においては、識別情報と写真データの対応付けを登録するデバイス管理データベースを例に挙げて説明したが、写真データの代わりに例えば音声データ、映像データ、地図上の位置を示すロケーションデータの場合でも、本発明を用いることができる。また、データベースの作成場所は、携帯端末内、外部ストレージや外部パソコン、ネットワークを介したサーバなどでも同様に効果を奏することが可能である。
【０１２４】
また、上記実施形態においては、各フローチャートを独立に示したが、アプリケーションとしては、例えば、デバイス登録とデバイス検索・表示とを共に含むアプリケーションや、デバイス写真表示とデバイス状態一覧表示とを共に含むアプリケーションなどであってもよい。その場合は、アプリケーションは、処理メニューを表示してユーザがどのサービスを受けるか選択することになる。逆に、各フローチャートの一部を実行する専用アプリケーションによる専用サービスの提供であってもよい。
【０１２５】
また、上記実施形態においては、近距離無線通信としてBluetooth(登録商標)の例を説明したが、Wi-Fi(Wireless Fidelity）などにおいても同様である。特に、IEEE(The Institute of Electrical and Electronics Engineers, Inc)802.15あるいはIEEE802.11に準拠する近距離無線通信に適用される。
【０１２６】
また、実施形態を参照して本発明を説明したが、本発明は上記実施形態に限定されるものではない。本発明の構成や詳細には、本発明のスコープ内で当業者が理解し得る様々な変更をすることができる。また、それぞれの実施形態に含まれる別々の特徴を如何様に組み合わせたシステムまたは装置も、本発明の範疇に含まれる。
【０１２７】
また、本発明は、複数の機器から構成されるシステムに適用されてもよいし、単体の装置に適用されてもよい。さらに、本発明は、実施形態の機能を実現する制御プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【０１２８】
［実施形態の他の表現］
上記の実施形態の一部または全部は、以下の付記のようにも記載されうるが、以下には限られない。
（付記１）
一意に識別可能な識別子を有し、前記識別子を近距離無線信号により送信するデバイスと、
前記デバイスの送信する近距離無線信号を受信して、前記識別子を認識するカメラ付き携帯端末と、
前記カメラ付き携帯端末により、前記デバイスと共に前記デバイスの所在を示す背景を撮影して得た写真データと、前記デバイスの識別子とを関連付けて格納するデータベースと、
を備えるデバイス管理システム。
（付記２）
前記デバイスの所在を示す背景は、前記デバイスを持つ人物または前記デバイスが配置された場所を含む付記１に記載のデバイス管理システム。
（付記３）
前記データベースは、前記識別子を、前記写真データのファイル名として、前記写真データのメタデータとして、前記写真データとは別のファイルデータ内に、または、前記写真データに埋め込んで格納する付記１または２に記載のデバイス管理システム。
（付記４）
前記デバイスの状態を近距離無線通信に基づいて把握して、前記デバイスの識別子に基づいて前記データベースを検索し、画面上に、前記デバイスに関連付けられた前記写真データを表示する携帯端末を備える付記１乃至３のいずれか１項に記載のデバイス管理システム。
（付記５）
前記携帯端末は、前記デバイスからのアラーム信号を受信して、前記アラーム信号から前記デバイスの識別子を認識し、前記識別子に基づいて前記データベースを検索し、画面上に、前記アラーム信号を発した前記デバイスに関連付けられた前記写真データを表示する付記４に記載のデバイス管理システム。
（付記６）
前記デバイスに対応付けて無線信号の受信間隔を計測する手段を有し、
前記携帯端末は、前記デバイスからの無線信号を一定期間、受信しなかった場合、前記デバイスの識別子を取得し、前記識別子に基づいて前記データベースを検索し、画面上に、前記一定期間、無線信号を受信できなかった前記デバイスに関連付けられた前記写真データを表示する付記４に記載のデバイス管理システム。
（付記７）
前記データベースは、前記デバイスの識別子に関連付けて、前記携帯端末が近距離無線通信に基づいて把握した前記デバイスの状態をさらに格納し、
前記携帯端末は、複数の前記デバイスとそれぞれ関連付けられた前記デバイスの状態を識別可能に一覧表示する付記４に記載のデバイス管理システム。
（付記８）
複数の前記データベースを有し、
前記携帯端末は、前記複数のデータベースからデータベースを選択し、選択した前記データベースを検索して検索結果を表示する付記４乃至７のいずれか１項に記載のデバイス管理システム。
（付記９）
カメラ付き携帯端末が、デバイスと共に前記デバイスの所在を示す背景を撮影して写真データを取得するデバイス撮影ステップと、
前記カメラ付き携帯端末が、前記デバイスから近距離無線信号により送信された、前記デバイスを一意に識別可能な識別子を受信する識別子受信ステップと、
データベースに、前記写真データと前記デバイスの識別子とを関連付けて格納する格納ステップと、
を含むデバイス管理方法。
（付記１０）
カメラと、
デバイスと近距離無線通信を行なう近距離無線通信手段と、
前記カメラで撮影している、前記デバイスと前記デバイスの所在を示す背景とを含む写真データと、前記デバイスとの近距離無線通信により取得した、前記デバイスを一意に識別可能な識別子とを関連付ける手段と、
を備える携帯端末。
（付記１１）
前記デバイスの所在を示す背景は、前記デバイスを持つ人物または前記デバイスが配置された場所を含む付記１０に記載の携帯端末。
（付記１２）
携帯端末が有するカメラで、デバイスと共に前記デバイスの所在を示す背景を撮影して写真データを生成するデバイス撮影ステップと、
前記デバイスと近距離無線通信を行なって、前記デバイスを一意に識別可能な識別子を取得する識別子取得ステップと、
前記写真データと前記デバイスの識別子とを関連付けるステップと、
を含む携帯端末の制御方法。
（付記１３）
携帯端末が有するカメラで、デバイスと共に前記デバイスの所在を示す背景を撮影して写真データを生成するデバイス撮影ステップと、
前記デバイスと近距離無線通信を行なって、前記デバイスを一意に識別可能な識別子を取得する識別子取得ステップと、
前記写真データと前記デバイスの識別子とを関連付けるステップと、
をコンピュータに実行させる携帯端末の制御プログラム。
（付記１４）
カメラ付き携帯端末が撮影した、デバイスと共に前記デバイスの所在を示す背景を含む写真データを取得するデバイス写真取得手段と、
前記カメラ付き携帯端末が前記デバイスから受信した、前記デバイスを一意に識別可能な識別子を取得する識別子取得手段と、
前記写真データと前記デバイスの識別子とを関連付けて検索可能に格納する格納手段と、
を備えるデータベース。
（付記１５）
前記格納手段は、前記識別子を、前記写真データのファイル名として、前記写真データのメタデータとして、前記写真データとは別のファイルデータ内に、または、前記写真データに埋め込んで格納する付記１４に記載のデータベース。
（付記１６）
前記格納手段は、写真データの格納を行う場合、同じ識別子を持った写真データの存在有無を確認し、既に同じ識別子を持った写真データが存在した場合、前記写真データを上書きするか新規データベースを作成するかを選択可能である付記１４または１５に記載のデータベース。
（付記１７）
前記デバイスとの通信有無を取得する通信有無取得手段と、
前記デバイスに関する付加情報を取得する付加情報取得手段と、
をさらに備え、
前記格納手段は、前記デバイスの識別子に関連付けて、前記通信有無と前記付加情報とを検索可能に格納する付記１４に記載のデータベース。
（付記１８）
デバイスと近距離無線通信を行なう近距離無線通信手段と、
前記デバイスとの近距離無線通信に基づいて、前記デバイスの状態を把握する把握手段と、
前記デバイスの状態と、前記近距離無線通信により取得した前記デバイスを一意に識別可能な識別子に基づいてデータベースから検索された、前記デバイスと前記デバイスの所在を示す背景とを含む写真とを表示する表示手段と、
を備える携帯端末。
（付記１９）
前記表示手段は、前記近距離無線通信手段が前記デバイスからのアラーム信号を受信した場合、前記アラーム信号から前記デバイスの識別子を認識し、前記識別子に基づいて前記データベースを検索して、画面上に、前記アラーム信号を発した前記デバイスと関連付けられた写真データを表示する付記１８に記載の携帯端末。
（付記２０）
前記デバイスに対応付けて無線信号の受信間隔を計測する手段を有し、
前記表示手段は、前記近距離無線通信手段が前記デバイスからの無線信号を一定期間、受信しなかった場合、前記デバイスの識別子を取得し、前記識別子に基づいて前記データベースを検索して、画面上に、前記一定期間、無線信号を受信できなかった前記デバイスに関連付けられた写真データを表示する付記１８に記載の携帯端末。
（付記２１）
前記表示手段は、複数の前記デバイスにそれぞれ関連付けられた前記デバイスの状態を識別可能なマークで一覧表示する付記１８に記載の携帯端末。
（付記２２）
前記表示手段は、前記デバイスの数に応じて、前記デバイスの状態を表示する前記マークのサイズを変更して表示し、前記デバイスの全体の状態を１画面に表示できない場合、画面を複数に分割して表示する付記２１に記載の携帯端末。
（付記２３）
デバイスとの近距離無線通信に基づいて、前記デバイスの状態を把握する把握ステップと、
前記デバイスの状態と、前記近距離無線通信により取得した前記デバイスを一意に識別可能な識別子に基づいてデータベースから検索された、前記デバイスと前記デバイスの所在を示す背景とを含む写真とを表示する表示ステップと、
を含む携帯端末の制御方法。
（付記２４）
デバイスとの近距離無線通信に基づいて、前記デバイスの状態を把握する把握ステップと、
前記デバイスの状態と、前記近距離無線通信により取得した前記デバイスを一意に識別可能な識別子に基づいてデータベースから検索された、前記デバイスと前記デバイスの所在を示す背景とを含む写真とを表示する表示ステップと、
をコンピュータに実行させる携帯端末の制御プログラム。
【図１】
0006440182.tif 000002
【図２Ａ】
0006440182.tif 000003
【図２Ｂ】
0006440182.tif 000004
【図２Ｃ】
0006440182.tif 000005
【図３Ａ】
0006440182.tif 000006
【図３Ｂ】
0006440182.tif 000007
【図４】
0006440182.tif 000008
【図５】
0006440182.tif 000009
【図６Ａ】
0006440182.tif 000010
【図６Ｂ】
0006440182.tif 000011
【図７】
0006440182.tif 000012
【図８】
0006440182.tif 000013
【図９】
0006440182.tif 000014
【図１０Ａ】
0006440182.tif 000015
【図１０Ｂ】
0006440182.tif 000016
【図１１】
0006440182.tif 000017
【図１２】
0006440182.tif 000018
【図１３】
0006440182.tif 000019
【図１４】
0006440182.tif 000020
【図１５】
0006440182.tif 000021
【図１６】
0006440182.tif 000022
【図１７】
0006440182.tif 000023
【図１８Ａ】
0006440182.tif 000024
【図１８Ｂ】
0006440182.tif 000025
【図１９】
0006440182.tif 000026
【図２０】
0006440182.tif 000027
【図２１】
0006440182.tif 000028